(57)【要約】【課題】端子台での短絡等の発生を防止しつつ、端子台での種々の作業のために使用可能であり、使用後には廃棄されることなく繰り返し利用することができる端子台用保護カバーを提供すること。【解決手段】接続端子３が所定間隔毎に列をなして設けられたベース部２と該ベース部２に立設され各々の接続端子３間を仕切る仕切り壁４とを備えた端子台１に装着される端子台用保護カバー１１は、接続端子３の上方を覆い、接続端子３を露出させるための端子露出開口部１５が予め形成された被覆部１３と、被覆部１３を接続端子３の配列方向に移送させるための移送手段１７とを有している。端子台用保護カバー１１を端子台１に装着した状態で、移送手段１７によって被覆部１３を接続端子３の配列方向に移送させることにより、端子露出開口部１５を所望の接続端子３の真上位置まで移動させるようにしている。【選択図】図１
2008041423.tif 000002
【特許請求の範囲】
【請求項１】
接続端子が所定間隔毎に列をなして設けられたベース部と、該ベース部に立設され前記各々の接続端子間を仕切る仕切り壁と、接続端子の外方側に立設された外壁と、を備えた端子台に装着される端子台用保護カバーにおいて、
前記接続端子の上方を覆い、前記接続端子を露出させるための端子露出開口部が予め形成された被覆部と、
該被覆部を前記接続端子の配列方向に移送させるための移送手段と、を有し、
前記移送手段により前記被覆部を前記接続端子の配列方向へ移送させることにより前記端子露出開口部を所望の接続端子の真上位置まで移動させるようになっていることを特徴とする端子台用保護カバー。
【請求項２】
前記被覆部は、一方の外壁から前記仕切り壁上を通って他方の外壁まで渡り、該他方の外壁から前記ベース部の下面を通って前記一方の外壁に至ることによって端子台を包囲する変形容易な絶縁性のフィルムによって構成されており、
前記移送手段は、上面側に前記接続端子の配列方向に沿って延在するスライドレールが設けられ、両方の外壁間に亘って掛け渡されているスライドベース板と、前記フィルムに固定され、前記スライドレールに嵌合する嵌合部を有するスライド操作板と、によって構成されており、
前記スライド操作板の嵌合部が前記スライドベース板のスライドレールを前記接続端子の配列方向に沿って摺動することによって前記端子露出開口部を前記所望の接続端子の真上位置まで移動させるようになっていることを特徴とする請求項１に記載の端子台用保護カバー。
【請求項３】
前記スライドレールは、
前記端子露出開口部が前記両端の接続端子の真上位置となる位置より更に外方側まで移動可能となるような長さをもって延在していることを特徴とする請求項２に記載の端子台用保護カバー。
【請求項４】
前記被覆部は、平板形状を有し、
前記移送手段は、前記被覆部と前記仕切り壁の上面との間に設けられており、前記接続端子の配列方向に沿って延在する平板形状を有し、且つ前記各々の接続端子の真上位置となる位置に設けられ前記端子露出開口部とほぼ同じ大きさの中間開口部と、前記接続端子の配列方向に沿って延在する両縁部が互いに接近する方向に屈曲され、前記被覆部における前記接続端子の配列方向に沿って延在する両縁部を受容するための折り曲げ部と、を有し、
前記被覆部の両縁部が前記移送手段の折り曲げ部を前記接続端子の配列方向に摺動することによって前記端子露出開口部を前記所望の中間開口部の真上位置まで移動させるようになっていることを特徴とする請求項１に記載の端子台用保護カバー。
【請求項５】
前記被覆部は、
前記端子露出開口部が両端の中間開口部の真上位置となる位置より更に外方側まで移動可能となるような長さをもって延在していることを特徴とする請求項４に記載の端子台用保護カバー。
【請求項６】
前記被覆部は、変形容易な絶縁性のフィルムによって構成されており、
前記移送手段は、前記両方の外壁間の距離より広い間隔で平行配置され、前記ベース部に回転自在に支持されている、前記被覆部の端部を巻き取るための一対のローラを有し、
前記ローラによる前記被覆部の巻き取りにより前記被覆部が前記接続端子の配列方向に沿って走行することによって前記端子露出開口部を前記所望の接続端子の真上位置まで移動させるようになっていることを特徴とする請求項１に記載の端子台用保護カバー。
【請求項７】
接続端子が所定間隔毎に列をなして設けられたベース部と、該ベース部に立設され前記各々の接続端子間を仕切る仕切り壁と、接続端子の外方側に立設された外壁と、を備えた端子台に装着される端子台用保護カバーにおいて、
前記端子台用保護カバーは、スライドファスナー機構を含み、
該スライドファスナー機構は、
前記接続端子の上方を覆う絶縁性のテープ部と、
該テープ部において前記接続端子の配列方向に沿って設けられた相互に長さの異なる務歯列と、
該務歯列上をその両端から相互に接近する方向へ移動させることにより前記務歯列を噛み合わせる２個のスライダーと、を有し、
該２個のスライダーは、
前記テープ部と前記仕切り壁の上面との間に設けられた平板形状の保形部材に固定され、
該保形部材は、
前記接続端子を露出させるために予め形成された端子露出開口部と、
前記各々のスライダーの固定位置からそれぞれ延出する長さの長い方の務歯列が前記端子露出開口部を包囲することができる形状に保つための一対の脚部と、を有し、且つ前記接続端子の配列方向に沿って延在し上面側にスライドレールを有するスライドベース部に前記スライドレールに沿ってスライド可能に設けられ、
前記２個のスライダーを前記務歯列に沿って前記端子の配列方向へ移動させることによって前記端子露出開口部を所望の接続端子の真上位置まで移動させるようになっていることを特徴とする端子台用保護カバー。
【請求項８】
前記各々の務歯列は、
前記端子露出開口部が両端側の接続端子の真上位置となる位置より更に外方側まで移動可能となる長さをもって設けられていることを特徴とする請求項７に記載の端子台用保護カバー。
【発明の詳細な説明】
【技術分野】
【０００１】
本発明は、端子台に取り付けた状態で配線作業や電圧測定等の所定の作業を行うことが可能である端子台用保護カバーに関する。
【背景技術】
【０００２】
一般に、配電盤や電源装置等の電気（電子）機器に設けられる端子台には、塵埃が端子ネジ、座金等に付着して短絡等を生じさせないようにするため、接続端子の上方を覆う板状の防塵保護カバーが装着されている。そして、接続端子に対して電圧測定や配線作業等の作業を行う際には、防塵保護カバーを取り外した後に、作業中に指や工具類が端子ネジ等に接触することによる感電事故、端子間に導電部品が接触することによる短絡事故等が発生しないようにするため、作業の施されない接続端子については絶縁性のビニールテープ等で接続端子の上方が覆われた状態とし、作業の施される接続端子のみを露出させてから実際に作業を行っていた。
【０００３】
ところが、作業終了後に取り外された絶縁性ビニールテープは、そのまま廃棄され、別の接続端子又は別の端子台の接続端子に対して作業を行う際には新たな絶縁性ビニールテープを装着していた。これにより、一旦使用された絶縁性ビニールテープは全て廃棄物として処理されることになり、近年の事業者に対して課されている廃棄物の減量化等の要請に応えることができないという課題を有していた。また、端子台に絶縁性ビニールテープを装着する度に作業の施される接続端子を露出させる作業を行う必要があったので、作業効率の点においても改善の余地を残していた。
【０００４】
そこで、従来から作業効率を図りつつ端子台での作業終了後には廃棄されることなく繰り返し使用可能な端子台用保護カバーが提案されている。
【０００５】
例えば、特許文献１に記載された端子台用保護カバーは、少なくとも端子台に設けられた全ての接続端子の上方を覆うことができる寸法を有する板状に形成され、端子台での電圧等の測定時に装着される。特許文献１の端子台用保護カバーには、電圧計等の測定棒の外径に対応した直径を有する測定孔が予め形成されており、測定孔の位置は、端子台用保護カバーを端子台に装着したとき測定孔が接続端子の真上位置となるように設定されている。
【０００６】
これによれば、特許文献１の端子台用保護カバーを用いて作業が行われる場合、端子台用保護カバーを装着した各々の端子台において、測定孔の位置が接続端子の真上位置となることから、測定孔に測定棒の先端部を挿入することによって所望の接続端子の電圧測定を行うことができる。従って、端子台で一旦使用した端子台用保護カバーを別の端子台に対して使用することができるので、端子台用保護カバーが廃棄されず、廃棄物の減量化等の要請に応えることができる。
【０００７】
また、端子台用保護カバーには、測定孔が予め形成されているので、端子台に装着後、直ぐに電圧等の測定を開始することができる。従って、接続端子を露出させる作業が行われないことから、複数の端子台で作業を行う際の作業効率の向上を図ることができる（特許文献１参照）。
【０００８】
【特許文献１】特開平０９−２４５８５４号公報
【発明の開示】
【発明が解決しようとする課題】
【０００９】
しかしながら、特許文献１に記載の端子台用保護カバーの測定孔は、電圧計等の測定棒の先端部が挿入可能な大きさしか有していない。従って、例えば、接続端子に導線を接続する配線作業の際には、導線等を測定孔に挿入できないことから、端子台用保護カバーを一旦取り外して全ての端子を露出させた状態で配線作業を行う必要があった。そのため、端子台での配線作業中に、上述の感電事故、短絡事故等の発生する課題が含まれることから、特許文献１の端子台用保護カバーを用いて行うことができる作業が電圧等の測定に制限される。また、特許文献１の端子台用保護カバーに形成された測定孔は、電圧計等の測定棒の先端部の挿入を許容する程度の直径しか有していないことから、端子台用保護カバーと上述の防塵保護カバーの区別が認識しづらく、作業終了後に防塵保護カバーに戻し忘れることも考えられる。
【００１０】
なお、特許文献１の端子台用保護カバーを用いて他の作業、例えば配線作業を行うことができるようにするため、接続端子をほぼ完全に露出できる程度に測定孔の開口部の大きさを更に広げることも考えられる。しかし、作業が行われない接続端子についても同様に露出されるので、端子台用保護カバーを取り外して全ての接続端子を露出させた状態で作業を行うときと同様の課題が存在する。
【００１１】
従って、上記課題に鑑みてなされた本発明の目的は、端子台での短絡等の発生を防止しつつ、端子台での種々の作業のために使用可能であり、使用後には廃棄されることなく繰り返し利用することができる端子台用保護カバーを提供することにある。
【課題を解決するための手段】
【００１２】
上記課題を解決する請求項１に記載の端子台用保護カバーの発明は、
接続端子が所定間隔毎に列をなして設けられたベース部と、該ベース部に立設され各々の接続端子間を仕切る仕切り壁と、接続端子の外方側に立設された外壁と、を備えた端子台に装着される端子台用保護カバーにおいて、接続端子の上方を覆い、接続端子を露出させるための端子露出開口部が予め形成された被覆部と、該被覆部を接続端子の配列方向に移送させるための移送手段と、を有し、移送手段により被覆部を接続端子の配列方向へ移送させることにより端子露出開口部を所望の接続端子の真上位置まで移動させるようになっていることを特徴とする。
【００１３】
請求項１に記載の発明によれば、作業の施される接続端子だけが端子露出開口部を介して露出され、作業の施されない他の接続端子は被覆部によって上方を覆われている。これにより、作業の施されない接続端子に指や導電部品等が直接接触することがないので、感電事故や短絡事故等を防止することができる。
【００１４】
また、端子露出開口部は、接続端子を露出させる大きさを有している。これにより、作業の施される接続端子に対する十分な作業空間が確保されるので、電圧計等の測定棒だけでなく、導線や工具類等を端子露出開口部から挿入して接続端子まで到達させることができる。従って、接続端子に対して行われる作業の種類が制限されず、種々の作業を行う際に本発明の端子台用保護カバーを使用することができる。
【００１５】
更に、端子露出開口部が被覆部に設けられていることから、移送手段により被覆部を接続端子の配列方向に移送させることによって、端子露出開口部も連動して接続端子の配列方向に移動させることができる。これにより、例えば複数の端子台で作業を行う場合、本発明の端子台用保護カバーを装着した各端子台で端子露出開口部を所望の接続端子の真上位置まで移動させることができる。従って、端子台での作業終了後は、従来のように廃棄することなく繰り返し使用することができる。
【００１６】
また、端子露出開口部が被覆部に予め形成されているので、端子台に端子台用保護カバーを装着した後、直ぐに作業を開始することができ、作業効率の向上を図ることができる。
【００１７】
そして、端子露出開口部は、端子台用保護カバーが端子台に装着されているのを認識しやすい大きさを有しているので、防塵保護カバーとの区別が容易であり、作業終了後に防塵保護カバーへの戻し忘れを防止することができる。
【００１８】
請求項２に記載の発明は、
被覆部は、一方の外壁から仕切り壁上を通って他方の外壁まで渡り、該他方の外壁からベース部の下面を通って一方の外壁に至ることによって端子台を包囲する変形容易な絶縁性のフィルムによって構成されており、移送手段は、上面側に接続端子の配列方向に沿って延在するスライドレールが設けられ、両方の外壁間に亘って掛け渡されているスライドベース板と、フィルムに固定され、スライドレールに嵌合する嵌合部を有するスライド操作板と、によって構成されており、スライド操作板の嵌合部がスライドベース板のスライドレールを接続端子の配列方向に沿って摺動することによって端子露出開口部を所望の接続端子の真上位置まで移動させるようになっていることを特徴とする。
【００１９】
請求項２に記載の発明によれば、スライドレールに嵌合部を嵌合させ、その嵌合状態でスライド操作板をスライドレールに沿って接続端子の配列方向へ摺動させるだけの簡単な構成により請求項１の作用を奏することができる。
【００２０】
請求項３に記載の発明は、
スライドレールは、端子露出開口部が両端の接続端子の真上位置となる位置より更に外方側まで移動可能となるような長さをもって延在していることを特徴とする。
【００２１】
請求項３に記載の発明によれば、端子露出開口部を両端側の接続端子の真上位置より更に外方に移動させることによって、全ての接続端子の上方を被覆部で覆うことができる。これにより、本発明の端子台用保護カバーを非作業時に装着される防塵保護カバーとしても使用することができる。従って、本発明の端子台用保護カバーと防塵保護カバーを交換する作業を行う必要がなくなり、作業効率を更に向上させることができる。
【００２２】
請求項４に記載の発明は、
被覆部は、平板形状を有し、移送手段は、被覆部と仕切り壁の上面との間に設けられており、接続端子の配列方向に沿って延在する平板形状を有し、且つ各々の接続端子の真上位置となる位置に設けられ端子露出開口部とほぼ同じ大きさの中間開口部と、接続端子の配列方向に沿って延在する両縁部が互いに接近する方向に屈曲され、被覆部における接続端子の配列方向に沿って延在する両縁部を受容するための折り曲げ部と、を有し、被覆部の両縁部が移送手段の折り曲げ部を接続端子の配列方向に摺動することによって端子露出開口部を所望の中間開口部の真上位置まで移動させるようになっていることを特徴とする。
【００２３】
請求項４に記載の発明によれば、移送手段の折り曲げ部が被覆部の両縁部を受容した状態で被覆部に設けられた端子露出開口部を所望の中間開口部の真上位置まで移動させることによって請求項１の作用を奏することができる。
【００２４】
また、平板形状に形成された被覆部を平板形状に形成された移送手段に沿ってスライドさせるだけであるので、所望の接続端子を露出させる作業を簡単に行うことができる。
【００２５】
請求項５に記載の発明は、
被覆部は、端子露出開口部が両端の中間開口部の真上位置となる位置より更に外方側まで移動可能となるような長さをもって延在していることを特徴とする。
【００２６】
請求項５に記載の発明によれば、端子露出開口部を両端の接続端子より外方側に移動させることによって、被覆部により全ての中間開口部が被覆される。従って、本発明の端子台用保護カバーは、非作業時において防塵保護カバーとして装着することができる。
【００２７】
請求項６に記載の発明は、
被覆部は、変形容易な絶縁性のフィルムによって構成されており、移送手段は、両方の外壁間の距離より広い間隔で平行配置され、ベース部に回転自在に支持されている、被覆部の端部を巻き取るための一対のローラを有し、ローラによる被覆部の巻き取りにより被覆部が接続端子の配列方向に沿って走行することによって端子露出開口部を所望の接続端子の真上位置まで移動させるようになっていることを特徴とする。
【００２８】
請求項６に記載の発明によれば、一対のローラを相互に同方向に回転させ、変形容易なフィルムで形成された被覆部を巻き取ることにより端子露出開口部を所望の接続端子の真上位置まで移動させることによって請求項１の作用を奏することができる。
【００２９】
請求項７に記載の発明は、
接続端子が所定間隔毎に列をなして設けられたベース部と、該ベース部に立設され各々の接続端子間を仕切る仕切り壁と、接続端子の外方側に立設された外壁と、を備えた端子台に装着される端子台用保護カバーにおいて、端子台用保護カバーは、スライドファスナー機構を含み、該スライドファスナー機構は、接続端子の上方を覆う絶縁性のテープ部と、該テープ部において接続端子の配列方向に沿って設けられた相互に長さの異なる務歯列と、該務歯列上をその両端から相互に接近する方向へ移動させることにより務歯列を噛み合わせる２個のスライダーと、を有し、該２個のスライダーは、テープ部と仕切り壁の上面との間に設けられた平板形状の保形部材に固定され、該保形部材は、接続端子を露出させるために予め形成された端子露出開口部と、各々のスライダーの固定位置からそれぞれ延出する長さの長い方の務歯列が端子露出開口部を包囲することができる形状に保つための一対の脚部と、を有し、且つ接続端子の配列方向に沿って延在し上面側にスライドレールを有するスライドベース部にスライドレールに沿ってスライド可能に設けられ、２個のスライダーを務歯列に沿って端子の配列方向へ移動させることによって端子露出開口部を所望の接続端子の真上位置まで移動させるようになっていることを特徴とする。
【００３０】
請求項７に記載の発明は、請求項１に記載の発明において、被覆部を移送手段に基づき接触端子の配列方向に沿って移送させることに連動して端子露出開口部を所望の接続端子の真上位置まで移動させていたのに対し、端子露出開口部だけを移動させる構成を有している。
【００３１】
具体的には、本発明では、端子台用保護カバー側に含まれるスライドファスナー機構の２個のスライダーを端子露出開口部が形成された保形部材に固定し、保形部材をスライドレールが設けられたスライドベース部にスライド可能に設けることによって、２個のスライダーを接続端子の配列方向に務歯列に沿って移動させることにより端子露出開口部のみの移動を実現している。
【００３２】
請求項７に記載の発明によると、２個のスライダーを接続端子の配列方向にスライドさせて端子露出開口部を所望の接続端子の真上位置まで移動させることによって請求項１に記載の発明と同様の作用を奏することができる。
【００３３】
請求項８に記載の発明は、
各々の務歯列は、端子露出開口部が両端側の接続端子の真上位置となる位置より更に外方側まで移動可能となる長さをもって設けられていることを特徴とする。
【００３４】
請求項８に記載の発明によれば、端子露出開口部を両端側の接続端子の真上位置より外方側に移動させることによって、テープ部により全ての接続端子の上方が被覆される。従って、本発明の端子台用保護カバーは、非作業時の防塵保護カバーとして装着することができる。
【発明の効果】
【００３５】
本発明にかかる端子台用保護カバーによれば、端子露出開口部を簡易な構成の移送手段によって所望の接続端子の真上位置まで移動させることができる。これにより、端子台で所望の接続端子を露出させることができるので、端子台での作業終了後に廃棄することなく繰り返し使用することができる。
【００３６】
また、端子露出開口部は、作業の施される接続端子だけを露出させるのに十分な大きさを有し、他の接続端子については端子台用保護カバーの被覆部で覆われていることから、感電事故、短絡事故等を防止しつつ電圧等の測定や配線作業を行うことができる。従って、接続端子に対する作業の種類が限定されないので、端子台での種々の作業を行うときに本発明の端子台用保護カバーを使用することができる。
【００３７】
更に、作業の行われる接続端子を露出させるときに端子台に装着した状態で端子露出開口部を移動させるだけで良く、端子露出開口部を形成する作業を行う必要がないことから、効率よく作業を行うことができる。
【発明を実施するための最良の形態】
【００３８】
（第１実施の形態）
以下、第１実施の形態を図１〜図３を参照して説明する。図１は、本実施の形態における端子台用保護カバーが装着された端子台の平面図、図２は、同じく端子台の正面図、図３は、移送手段の構成を具体的に説明する図である。以下の説明では、本実施の形態の端子台用保護カバー１１の構成を説明する前に、端子台用保護カバー１１が装着される端子台１の構成について最初に説明する。
【００３９】
端子台１は、上面が平坦な矩形状のベース部２を有しており、ベース部２上に導電性の接続端子３が平面的な広がりをもって並設されている。各接続端子３は、座金３ｂに端子ネジ３ａが螺合することによってベース部２上に設置されている。各々の接続端子３は、例えば、ベース部２の長辺に沿ってほぼ等間隔をおいて１列に並設させた接続端子群を形成し、このような接続端子群がベース部２の短辺に沿って所定の間隔をおいて２列で配置されている。
【００４０】
端子台１のベース部２上には、各々の接続端子３間を仕切る絶縁性の仕切り壁４が立設され、仕切り壁４は、横仕切り壁４ａと縦仕切り壁４ｂを有している。横仕切り壁４ａは、２列で配置した接続端子群の列の間に設けられベース部２の長辺に沿って延在し、縦仕切り壁４ｂは、１列の接続端子群内の相互に隣り合う接続端子３の間に設けられベース部２の短辺に沿って延在している。両端の接続端子３の外方側に立設された仕切り壁４は、外壁５として形成されている。そして、接続端子３に近接する三方の仕切り壁４又は二方の仕切り壁４と外壁５で接続端子３が囲まれることによってこれらの壁体の内側に形成される領域が、接続端子仕切り領域として形成されている。
【００４１】
次に、本実施の形態の端子台用保護カバー１１について説明する。端子台用保護カバー１１は、接続端子３に対して所定の作業を行う際に端子台１に装着されるものであり、図１〜図３に示すように被覆部１３、端子露出開口部１５、移送手段１７、固定手段１９を有している。
【００４２】
被覆部１３は、接続端子３の配列方向へ略平面状に延在する変形容易な絶縁性フィルムによって形成されている。被覆部１３は、一方の外壁５から仕切り壁４上を通って他方の外壁５まで渡り、他方の外壁５からベース部２の下面を通って一方の外壁５に至ることによって端子台１を包囲している。
【００４３】
端子露出開口部１５は、上述の接続端子仕切り領域に対応する大きさの開口部として被覆部１３に予め形成されている。端子露出開口部１５は、接続端子３に接続させる導線や器具類等を挿入して接続端子３に対して所定の作業を行うことができる大きさを有している。
【００４４】
移送手段１７は、端子台用保護カバー１１を端子台１に装着したままの状態で被覆部１３を接続端子３の配列方向に移送させることによって端子露出開口部１５を移動させることができるように構成され、本願発明の特徴的構成であり、スライドベース板１７ａとスライド操作部１７ｂを有している。
【００４５】
スライドベース板１７ａは、仕切り壁４及び外壁５の上面上に載置されて一方の外壁５から他方の外壁５の間を掛け渡されるように接続端子３の配列方向に沿って延在し、矩形状の平板部材で形成されている。スライドベース板１７ａの表面側には、接続端子３の配列方向に沿ってスライドレール１７ｃが凹設されている。スライドレール１７ｃは、端子露出開口部１５を両端の接続端子３の真上位置まで移動させることができる長さをもって延在し、スライドレール１７ｃの両端部の位置は、スライドベース板１７ａの周縁部より内側の位置となるように設定されている。
【００４６】
スライド操作板１７ｂは、矩形状の平板部材で形成され、被覆部１３に固定されている。本実施の形態の場合には、スライド操作板１７ｂは、一対の縦板部材１７ｄと、横板部材１７ｅとを有し、これらは、端子露出開口部１５の開口部の大きさより広い間隔をもって配置されている。
【００４７】
また、図３に示すように、スライド操作板１７ｂの下面から下方に突出する凸部１７ｆがスライドベース板１７ａのスライドレール１７ｃに嵌合する嵌合部として形成されている。凸部１７ｆは、スライドレール１７ｃ内を摺動することによりスライド操作板１７ｂを接続端子３の配列方向に移動させることができるように構成されている。そして、凸部１７ｆがスライドレール１７ｃの端部に当接することによって、スライド操作板１７ｂの移動を規制することができる。これにより、スライド操作板１７ｂがスライドベース板１７ａから脱離するのを防止することができる。
【００４８】
そして、スライド操作板１７ｂの上面側には、上方に向かって突出する摘み部１７ｇが設けられている。これにより、スライド操作板１７ｂの操作時に摘み部１７ｇを把持するだけで簡単にスライド操作板１７ｂのスライド操作を行うことができる。
【００４９】
固定手段１９は、端子台用保護カバー１１を装着したときに端子台１に対する装着状態を固定するものであり、例えば面ファスナー１９ａによって構成されている。面ファスナー１９ａは、被覆部１３の周縁部近傍において、端子台用保護カバー１１を端子台１に捲着したときに相互に重なり合うことができる位置に設けられている。なお、固定手段１９は、端子台用保護カバー１１を端子台１に固定できるものであれば面ファスナーに限定されない。
【００５０】
従って、このように構成された端子台用保護カバー１１を端子台１に装着し、面ファスナー１９ａで固定した状態でスライド操作板１７ｂをスライドレール１７ｃに沿って接続端子３の配列方向へスライドさせて被覆部１３を移送させることにより、端子露出開口部１５を接続端子３の配列方向に移動させることができる。これにより、端子台用保護カバー１１を装着した状態のまま端子露出開口部１５を所望の接続端子３の真上位置まで移動させることができる。従って、複数の端子台で作業を行うような場合、各端子台で端子露出開口部１５を所望の接続端子３の真上位置まで移動させることができるので、従来のように一旦使用した後に廃棄することなく繰り返し使用することができる。
【００５１】
また、所望の接続端子３の真上位置まで端子露出開口部１５を移動させたとき、作業の行われない他の接続端子３は被覆部１３によって接続端子３の上方が覆われている。これにより、作業の施されない接続端子３に指や工具類が接触することによる感電事故や、作業の施されない接続端子３間に導電部品が接触することによる短絡事故を防止することができる。
【００５２】
そして、端子露出開口部１５を端子仕切り領域に対応する大きさの開口部として形成したことにより、作業の施される接続端子３に対する作業領域が十分に確保されている。これにより、電圧計等の測定棒のように外径の小さいものだけでなく、端子露出開口部１５から導線や工具類を挿入して接続端子３まで到達させることができる。従って、本発明の端子台用保護カバー１１を使用して接続端子３に対して種々の作業を行うことができる。
【００５３】
更に、端子露出開口部１５の開口部は、所定の大きさを有していることから、端子台用保護カバー１１が装着されていることを容易に認識することができる。従って、作業終了後に従来のように非作業時の防塵保護カバーへの戻し忘れを防止することができる。
【００５４】
それから、上述したように被覆部１３で端子台１を包囲して端子台用保護カバー１１を装着したことにより、導線を所望の接続端子３に接続する場合には、端子台用保護カバー１１を装着した状態で配線作業を容易に行うことができる。一方、既に接続端子３に導線が接続されている場合には、導線の端子台１から外部への延出に影響を与えないようにすることができる。
【００５５】
なお、スライドレール１７ｃは、上述したように端子露出開口部１５が両端の接続端子３の真上位置まで移動可能となる長さをもって設けられているが、このような構成に限定されるものではない。例えば、スライドレール１７ｃは、端子露出開口部１５を両端の接続端子３の真上位置より更に外方側まで移動させることができる長さをもって設けられても良い。これにより、端子露出開口部１５を両端の接続端子３より更に外方に移動させ、被覆部１３によって全ての接続端子３の上方を覆うことができる。これにより、端子台用保護カバー１１を非作業時の防塵保護カバーとして装着することも可能となる。すなわち、作業終了後も端子台用保護カバー１１を装着したままとすることができる。従って、接続端子３に対して作業を施すときには、防塵保護カバーから端子台用保護カバー１１へ交換し、また、作業終了後には、端子台用保護カバー１１から防塵用保護カバーに交換する作業を省略することができるので、作業効率を更に向上させることができる。
【００５６】
（第２実施の形態）
次に、第２実施の形態について図４〜図７に基づいて説明する。図４〜図７において、第１の実施の形態と同様の構成要素には同様の符号を付することでその詳細な説明を省略し、異なる部分を主に説明する。図４は、本実施の形態における端子台用保護カバー２１が装着された端子台１の平面図、図５は、同じく端子台１の正面図、図６は、同じく端子台１の側面図、図７は、移送手段２７の斜視図である。
【００５７】
第２実施の形態にかかる端子台用保護カバー２１において特徴的なことは、被覆部２３と移送手段２７を、接続端子３の配列方向に沿って延在する平板状の部材で形成し、移送手段２７上を被覆部２３が接続端子３の配列方向にスライド可能に構成していることにある。
【００５８】
被覆部２３は、例えば、ベース部２の長辺より長い長辺を有する矩形状を有しており、端子露出開口部２５が予め形成されている。そして、被覆部２３には、被覆部２３のスライド操作を簡単にするため、端子露出開口部２５の開口部近傍に上方へ向かって突出する摘み部２３ａが設けられている。
【００５９】
移送手段２７は、仕切り壁４及び外壁５の上面上に載置されて一方の外壁５から他方の外壁５の間を掛け渡されるように接続端子３の配列方向に沿って延在し、例えばベース部２の長辺とほぼ同じ長さの長辺を有する矩形状に形成されている。移送手段２７には、図７に示すように、仕切り壁４及び外壁５上に載置されたとき、各々の接続端子３の真上位置となる位置に接続端子仕切り領域とほぼ同じ大きさを有する中間開口部２７ａが形成されている。
【００６０】
また、移送手段２７は、両側の長辺を相互に接近する方向に屈曲させた、被覆部２３の両辺を受容する折り曲げ部２７ｂを有している。折り曲げ部２７ｂは、被覆部２３の長辺を受容可能であれば、どのような形状を有していても良い。これにより、被覆部２３の長辺を移送手段２７の折り曲げ部２７ｂに受容させて嵌合した状態で接続端子３の配列方向に摺動させることによって端子露出開口部２５を移動させることができる。従って、端子露出開口部２５を所望の中間開口部２７ａの真上位置に移動させて所望の接続端子３を露出させることができる。
【００６１】
従って、上記の構成を有する端子台用保護カバー２１によれば、被覆部２３の長辺を移送手段２７の折り曲げ部２７ｂに嵌合させた状態で被覆部２３を所望の中間開口部２７ａの真上位置まで移動させることにより、第１実施の形態と同様の作用を奏することができる。
【００６２】
また、矩形状の被覆部２３を矩形状の移送手段２７に沿ってスライドさせるだけであるので、端子露出開口部２５及び中間開口部２７ａを介して所望の接続端子３を露出させる作業を簡単に行うことができる。
【００６３】
なお、第１実施の形態と同様に、被覆部２３は、端子露出開口部２５を両端の接続端子３（両端の中間開口部２７ａ）の真上位置より更に外方側まで移動させることができるように構成されていても良い。これにより、端子台用保護カバー２１を防塵保護カバーとして装着することができる。
【００６４】
（第３実施の形態）
第３実施の形態について図８〜図１０に基づいて説明する。図８〜図１０において、第１の実施の形態と同様の構成要素には同様の符号を付することでその詳細な説明を省略し、異なる部分を主に説明する。図８は、本実施の形態における端子台用保護カバー３１が装着された端子台１の平面図、図９は、同じく端子台１の正面図、図１０は、同じく端子台１の側面図である。
【００６５】
第３実施の形態にかかる端子台用保護カバー３１において特徴的なことは、被覆部３３を接続端子３の配列方向に延在する変形容易な絶縁性フィルムで形成し、移送手段３７を被覆部３３の端部を巻き取るローラ３７ａとして形成していることにある。
【００６６】
被覆部３３は、接続端子３の上方、具体的には仕切り壁４及び外壁５の上面を覆うことができるように構成されており、端子露出開口部３５が予め形成されている。被覆部３３の所定位置には、被覆部３３のスライド操作を簡単にするため、端子露出開口部３５の開口部近傍に上方へ向かって突出する摘み部３３ａが設けられている。
【００６７】
移送手段３７を形成するローラ３７ａは、両端の外壁５間の距離より広い間隔でベース部２の短辺に沿って平行配置されている。そして、ローラ３７ａは、回転軸３７ｂの両端部から下方に向かって延在し、下端で相互に向かい合う方向に曲折することによってベース部２の下端に係止する係止爪３７ｃによって回転自在に支持されている。
【００６８】
係止爪３７ｃは、相互に離反する方向へ弾性変形可能な棒体によって形成されている。従って、係止爪３７ｃは、相互に離反する方向に弾性変形させた状態で係止爪３７ｃの下端をベース部２の下端に位置合わせし、弾性変形状態を解除することによって係止爪３７ｃの下端をベース部２に係止させるように構成されている。また、係止爪３７ｃをベース部２に係止させてローラ３７ａの設置位置を固定することにより、端子台用保護カバー３１が装着状態に維持されることから、係止爪３７ｃは、端子台用保護カバー３１の固定手段としても構成されている。
【００６９】
従って、上記の構成を有する端子台用保護カバー３１によれば、回転軸３７ｂを相互に同方向に回転させ、被覆部３３の端部をローラ３７ａで巻き取ることによって被覆部３３が接続端子３の配列方向へ走行する。これにより、端子露出開口部３５を接続端子３の配列方向に移動させることができるので、上述の各実施の形態と同様の作用を奏することができる。
【００７０】
また、係止爪３７ｃをベース部２の下端に係止させローラ３７ａの設置位置を固定することにより端子台用保護カバー３１を装着することができるので、端子台用保護カバー３１の取り付け作業を効率よく行うことができる。
【００７１】
（第４実施の形態）
第４実施の形態について図１１〜図１３に基づいて説明する。図１１〜図１３において、第１の実施の形態と同様の構成要素には同様の符号を付することでその詳細な説明を省略し、異なる部分を主に説明する。図１１は、本実施の形態における端子台用保護カバー４１が装着された端子台１の平面図、図１２は、スライドファスナー機構４３の要部拡大図、図１３は、図１２においてＡ方向より矢視したスライダー４３ｃの構成を説明する図である。なお、図１１において、誘導ローラ４３ｅ及び脚部４７ｆについては省略されている。
【００７２】
第４実施の形態にかかる端子台用保護カバー４１において特徴的なことは、第１実施の形態から第３実施の形態において被覆部１３、２３、３３を移送手段１７、２７、３７により接続端子３の配列方向に移送させることによって端子露出開口部１５、２５、３５を所望の接続端子３の真上位置まで移動させていたのに対し、端子露出開口部４５だけを接続端子３の配列方向に移動させることができるように構成されていることにある。
【００７３】
具体的には、端子台用保護カバー４１がスライドファスナー機構４３を含み、スライドファスナー機構４３に基づく端子露出開口部４５の移動を補助するために移動補助部４７が設けられている。スライドファスナー機構４３は、一般に知られている構成要素に基づき形成されており、テープ部４３ａと、務歯列４３ｂと、スライダー４３ｃと、を有している。
【００７４】
テープ部４３ａは、例えば、接続端子３の配列方向へ延在する絶縁性の織物によって形成され、接続端子３の上方、具体的には仕切り壁４及び外壁５の上面を覆うことができるように構成されている。
【００７５】
務歯列４３ｂは、接続端子３の配列方向へ延在するようにテープ部４３ａに２列で設けられ、各々の務歯列４３ｂは、相互に異なる長さを有している。務歯列４３ｂは、端子露出開口部４５を両端の接続端子３の真上位置まで移動可能な長さをもって設けられている。そして、務歯列４３の両端部には、それぞれスライダー４３ｃの移動を規制する止め具４３ｄが設けられている。
【００７６】
スライダー４３ｃは、務歯列４３ｂ上を移動することにより務歯列４３ｂを噛み合わせ、又は務歯列４３ｂの噛み合わせを解除するように構成され、２個のスライダー４３ｃが設けられている。そして、各々のスライダー４３ｃには、長さの長い方の務歯列４３ｂを長さの短い方の務歯列４３ｂから離間する方向に誘導するための誘導ローラ４３ｅが設けられている。本実施の形態の場合、図１３に示すように、誘導ローラ４３ｅの回転軸が以下に示す移動補助部４７に軸支され、スライダー４３ｃが移動補助部４７に接続されている。
【００７７】
移動補助部４７は、テープ部４３ａと仕切り壁４及び外壁５の上面との間に設けられている。移動補助部４７は、第１実施の形態におけるスライドベース板１７ａ及びスライド操作板１７ｂと同様の構造に基づき形成されており、スライドベース部４７ａと保形部材４７ｂを有し、保形部材４７ｂに上述の２個のスライダー４３ｃが取り付けられている。
【００７８】
スライドベース部４７ａは、仕切り壁４及び外壁５の上面上に載置されて一方の外壁５から他方の外壁５の間を掛け渡されるように接続端子３の配列方向に沿って延在し、矩形状の平板部材で形成されている。スライドベース部４７ａの表面側には、接続端子３の配列方向に沿ってスライドレール４７ｃが凹設されている。
【００７９】
保形部材４７ｂは、端子露出開口部４５が予め形成された矩形状の平板部材で形成され、平板部材の下面に設けられた係合部(図示せず)がスライドベース部４７ａのスライドレール４７ｃをスライド可能に構成されている。具体的には、保形部材４７ｂは、一対の縦板部材４７ｄと横板部材４７ｅを有し、これらは、端子露出開口部４５の開口部より広い間隔をもって配置されている。
【００８０】
そして、保形部材４７ｂの一対の縦板部材４７ｄには、長さの長い方の務歯列４３ｂの表裏に跨る脚部４７ｆがそれぞれ設けられ、これらの設置位置は、スライダー４３ｃの誘導ローラ４３ｅを介して長さの短い方の務歯列４３ｂから離反する方向に延出する長さの長い方の務歯列４３ｂが端子露出開口部４５を包囲する形状を保つことのできる位置に設定されている。
【００８１】
上記の構成を有する端子台用保護カバー４１によれば、スライドファスナー機構４３の２個のスライダー４３ｃを端子露出開口部４５が形成された保形部材４７ｂに固定し、保形部材４７ｂをスライドレール４７ｃが設けられたスライドベース部４７ａに設けることによって、２個のスライダー４３ｃを務歯列４３ｂに沿って接続端子３の配列方向へ移動させて、端子露出開口部４５だけを移動させている。これにより、端子露出開口部４５を所望の接続端子３の真上位置まで移動させることができるので、上述の各実施の形態と同様の作用を奏することができる。
【００８２】
なお、本実施の形態も同様に、務歯列４３ｂは、端子露出開口部４５を両端の接続端子３の真上位置より更に外方側まで移動させることができる長さをもって設けられても良い。これにより、端子台用保護カバー４１を防塵保護カバーとして装着することができる。
【００８３】
本発明は、上述の各実施の形態に限定されることなく、発明の趣旨を逸脱しない範囲で種々変更可能である。例えば、第１実施の形態おいて、端子露出開口部１５は、１個の接続端子３を露出させる大きさに予め形成されていたが、２個以上の接続端子３を露出させる大きさに形成されていても良い。
【００８４】
例えば、図１４は、上記第１実施の形態におけるスライド操作板１７ｂの変形例を示した図である。端子露出開口部１５は、縦仕切り壁４ｂを介して相互に隣り合う２個の接続端子３を露出させる大きさに予め形成されている。そして、スライド操作板１７ｂの一対の縦板部材１７ｄが接続端子３の配列方向にスライドできるようにスライド操作板１７ｂの表面側にスライドレール１８が設けられている。スライドレール１８は、縦板部材１７ｄを相互に離反する方向にスライドさせたときに端子露出開口部１５を介して２個の接続端子３を露出させることができる長さを有している。
【００８５】
この変形例の場合、上述のように２個の接続端子３を露出させることができるものの、一対の縦板部材１７ｄのどちらか一方だけをスライドレール１８に沿ってスライドさせることにより１個の接続端子３だけを露出させることも可能である。
【図面の簡単な説明】
【００８６】
【図１】第１実施の形態にかかる端子台用保護カバーを装着した端子台の平面図である。
【図２】同じく端子台の正面図である。
【図３】同じく移送手段の要部説明図である。
【図４】第２実施の形態にかかる端子台用保護カバーを装着した端子台の平面図である。
【図５】同じく端子台の正面図である。
【図６】同じく端子台の側面図である。
【図７】同じく移送手段の斜視図である。
【図８】第３実施の形態にかかる端子台用保護カバーを装着した端子台の平面図である。
【図９】同じく端子台の正面図である。
【図１０】同じく端子台の側面図である。
【図１１】第４実施の形態にかかる端子台用保護カバーを装着した端子台の平面図である。
【図１２】同じく移動補助部の要部拡大図である。
【図１３】同じくスライダーの構成を説明する図である。
【図１４】変形例を説明する図である。
【符号の説明】
【００８７】
１  端子台
２  ベース部
３  接続端子
４  仕切り壁
１１、２１、３１、４１  端子台用保護カバー
１３、２３、３３  被覆部
１５、２５、３５、４５  端子露出開口部
１７、２７、３７  移送手段
１７ａ  スライドベース板
１７ｂ  スライド操作板
１７ｃ、１８、４７ｃ  スライドレール
１７ｄ  縦板部材
１７ｅ  横板部材
１７ｆ  凸部
１７ｇ、２３ａ、３３ａ  摘み部
１９  固定手段
２７ａ  中間開口部
２７ｂ  折り曲げ部
３７ａ  ローラ
３７ｂ  回転軸
３７ｃ  係合爪
４３  スライドファスナー機構
４３ａ  テープ部
４３ｂ  務歯列
４３ｃ  スライダー
４３ｄ  止め具
４３ｅ  誘導ローラ
４７  移動補助部
４７ａ  スライドベース部
４７ｂ  保形部材
４７ｆ  脚部
【図１】
2008041423.tif 000003
【図２】
2008041423.tif 000004
【図３】
2008041423.tif 000005
【図４】
2008041423.tif 000006
【図５】
2008041423.tif 000007
【図６】
2008041423.tif 000008
【図７】
2008041423.tif 000009
【図８】
2008041423.tif 000010
【図９】
2008041423.tif 000011
【図１０】
2008041423.tif 000012
【図１１】
2008041423.tif 000013
【図１２】
2008041423.tif 000014
【図１３】
2008041423.tif 000015
【図１４】
2008041423.tif 000016